(57)【要約】【課題】簡単な操作で容易に効果のパラメータである時間パラメータを設定することができる効果装置を提供する。【解決手段】楽音が入力され（Ｓ６：Ｙｅｓ）、レベルフラグ１２ａが１でない場合は（Ｓ７：Ｎｏ）、タイマ１１ａが計時する現在時刻をＲＡＭ１２の所定の領域に記憶する（Ｓ８）。次に、タイマ１１ａが計時した時間（スイッチＳＷ１がオンされてからオフされるまでの時間）が所定の時間より短いか否かを判断する（Ｓ１５）。この所定の時間は、例えば、２秒程度に設定される時間であり、タイマ１１ａが計時した時間がこの所定の時間より短い場合は（Ｓ１５：Ｙｅｓ）、効果のオンオフを切り替える（Ｓ１６）。一方、Ｓ１５の判断処理において、タイマ１１ａが計時した時間が所定時間より長い場合は（Ｓ１５：Ｎｏ）、入力信号に基づいてディレイ効果のパラメータである時間パラメータの設定を行う（Ｓ１８）。【選択図】図３
2008304813.tif 000002
【特許請求の範囲】
【請求項１】
楽音信号を入力する楽音信号入力手段を備え、その楽音信号入力手段により入力された楽音信号に効果を付与する効果装置において、
時間パラメータを設定するモードを選択する操作子と、
その操作子により時間パラメータを設定するモードが選択されている場合に、前記楽音信号入力手段により入力された楽音信号に基づいて効果のパラメータである時間パラメータを設定する時間パラメータ設定手段と、
その時間パラメータ設定手段により設定された時間パラメータに基づいて効果を付与する効果付与手段と、
その効果付与手段により効果が付与された楽音信号を出力する出力手段とを備えていることを特徴とする効果装置。
【請求項２】
前記操作子が操作されている操作時間を検出する操作時間検出手段と、
その操作時間検出手段により検出された操作時間が所定の時間以下である場合に、前記出力手段により出力される楽音信号を、前記効果付与手段により効果が付与された楽音信号とするか、前記効果付与手段により効果が付与されない楽音信号とするかを設定する効果設定手段とを備え、
前記時間パラメータ設定手段は、前記操作時間検出手段により検出された操作時間が前記所定の時間より長い場合には、その操作子が操作されている間に前記楽音信号入力手段により入力された楽音信号に基づいて、前記効果付与手段により付与する効果のパラメータである時間パラメータを設定するものであることを特徴とする請求項１記載の効果装置。
【請求項３】
前記楽音信号入力手段により順次入力された楽音信号の時間間隔を計時する計時手段を備え、
前記時間パラメータ設定手段は、その計時手段により計時された時間間隔に基づいて時間パラメータを設定するものであることを特徴とする請求項１または２記載の効果装置。
【請求項４】
前記楽音信号入力手段により入力された楽音信号の音高を検出する音高検出手段を備え、
前記時間パラメータ設定手段は、その音高検出手段により検出された音高に基づいて時間パラメータを設定するものであることを特徴とする請求項１または２記載の効果装置。
【請求項５】
楽音信号を入力する楽音信号入力手段を備え、その楽音信号入力手段により入力された楽音信号に効果を付与する効果装置において、
前記楽音信号入力手段により入力される楽音信号の発生の開始を示す発生開始信号を入力する発生開始信号入力手段と、
時間パラメータを設定するモードを選択する操作子と、
その操作子により時間パラメータを設定するモードが選択されている場合に、前記発生開始信号入力手段により入力された発生開始信号に基づいて効果のパラメータである時間パラメータを設定する時間パラメータ設定手段と、
その時間パラメータ設定手段により設定された時間パラメータに基づいて効果を付与する効果付与手段と、
その効果付与手段により効果が付与された楽音信号を出力する出力手段とを備えていることを特徴とする効果装置。
【請求項６】
前記操作子が操作されている操作時間を検出する操作時間検出手段と、
その操作時間検出手段により検出された操作時間が所定の時間以下である場合に、前記出力手段により出力される楽音信号を、前記効果付与手段により効果が付与された楽音信号とするか、前記効果付与手段により効果が付与されない楽音信号とするかを設定する効果設定手段とを備え、
前記時間パラメータ設定手段は、前記操作時間検出手段により検出された操作時間が前記所定の時間より長い場合には、その操作子が操作されている間に前記発生開始信号入力手段により入力された発生開始信号に基づいて時間パラメータを設定するものであることを特徴とする請求項５記載の効果装置。
【請求項７】
前記発生開始信号入力手段により順次入力された発生開始信号の時間間隔を計時する計時手段を備え、
前記時間パラメータ設定手段は、その計時手段により計時された時間間隔に基づいて時間パラメータを設定するものであることを特徴とする請求項５または６記載の効果装置。
【請求項８】
前記発生開始信号入力手段により入力される発生開始信号は、楽音信号の音高を示す音高情報を含み、
前記時間パラメータ設定手段は、その発生開始信号入力手段により入力された発生開始信号に含まれた音高情報に基づいて時間パラメータを設定するものであることを特徴とする請求項５または６記載の効果装置。
【請求項９】
前記操作子が操作されている場合に前記出力手段により出力される楽音信号のレベルを下げるレベル制御手段を備えていることを特徴とする請求項２から４および６から８のいずれかに記載の効果装置。
【発明の詳細な説明】
【技術分野】
【０００１】
本発明は、楽音に効果を付与する効果装置に関し、特に簡単な操作で容易に効果のパラメータである時間パラメータを設定することができる効果装置に関する。
【背景技術】
【０００２】
従来、効果装置において、時間をパラメータとする効果を付与することが行われている。これらの効果としては、入力された楽音を所定時間だけ遅延させて出力するディレイや、フィルタのカットオフ周波数を周期的に変化させるオートワウや、楽音レベルを周期的に変化させるトレモロや、入力された楽音信号を周期的に遅延させて、入力された楽音信号と合成するフェーザなどの効果があり、ディレイでは遅延時間、オートワウやトレモロ、フェーザでは変調を行う周期が、時間パラメータとして演奏者により任意に設定される。
【０００３】
特開２００３−１５０１５８号公報（特許文献１）には、ディレイのパラメータである遅延時間を絶対時間で設定したり、音楽の演奏の速さを示すテンポの値（ＢＰＭ：Beat  Per  Minute）と音符長（四分音符、八分音符など）とで設定することができる効果装置が開示されている。また、電気ギターなどを演奏する場合に、床に載置して電気ギターなどから出力される楽音信号に効果を付与する効果装置がある。このような効果装置では、足で操作するペダルスイッチが設けられ、そのペダルスイッチを短い時間の間に押下して離した（以下、「オンオフ操作」と称す）場合は、効果を付与する（オン）か否か（オフ）を切替え（トグル動作）、所定時間より長い時間押下して離した場合は、時間パラメータを設定するモードに切り替わって、更にそのモードにおいて、ペダルスイッチが複数回操作され、その時間間隔に基づいて時間パラメータが設定される（以下、「タップ操作」と称す）ものがある。
【０００４】
また、同様に、床に載置して電気ギターなどから出力される楽音信号に効果を付与することができる効果装置であって、ペダルスイッチが、浅く操作された場合に動作する接点と、深く操作された場合に動作する接点とからなる２段スイッチを備え、ペダルスイッチが浅く操作された場合は、その操作された時間間隔に応じて時間パラメータが設定され、深く操作された場合は、効果をオンまたはオフするものが知られている。
【特許文献１】特開２００３−１５０１５８号公報。
【発明の開示】
【発明が解決しようとする課題】
【０００５】
しかしながら、上記した従来の効果装置は、設定時間が長くかかる、または誤操作や操作が困難であるなどの問題点があった。すなわち、ペダルスイッチを短い時間内にオンオフ操作した場合は、効果のオンまたはオフを切替え、ペダルスイッチを長くオン操作した場合には、タップ操作により時間パラメータを設定するモードに切り替わるものでは、まず時間パラメータを設定するモードに切替えるために長くフットスイッチをオンしなけばならず、時間パラメータを設定するモードに切り替わった後も、更に複数回、ペダルスイッチを操作し（タップ操作）、その上、時間パラメータを設定するモードを終了する場合にも、再びペダルスイッチを長くオンする必要があるため、時間パラメータの設定を行うための全行程に要する時間が長くなる。その結果、演奏中に時間パラメータを設定するために、上述したような一連の操作を行うことで、演奏が長時間中断されてしまうという問題点があった。
【０００６】
また、ペダルスイッチが、浅く操作された場合と深く操作された場合とで異なる接点が動作する２段スイッチを有する効果装置では、足で操作するために、浅く操作しようとして誤って深く操作したり、逆に深く操作しようとして誤って浅く操作するなどの誤操作が発生しやすく、操作が難しいという問題点があった。
【０００７】
また、ペダルスイッチを操作する時間間隔により時間パラメータを設定する操作は、足で行うために、正確な時間を設定するのが、特に初心者にとっては困難であるという問題点もあった。
【０００８】
本発明は、上述した問題点を解決するためになされたものであり、簡単な操作で容易に効果のパラメータである時間パラメータを設定することができる効果装置を提供することを目的としている。
【課題を解決するための手段】
【０００９】
上記課題を解決するために、請求項１記載の効果装置は、楽音信号を入力する楽音信号入力手段を備え、その楽音信号入力手段により入力された楽音信号に効果を付与する効果装置において、時間パラメータを設定するモードを選択する操作子と、その操作子により時間パラメータを設定するモードが選択されている場合に、前記楽音信号入力手段により入力された楽音信号に基づいて効果のパラメータである時間パラメータを設定する時間パラメータ設定手段と、その時間パラメータ設定手段により設定された時間パラメータに基づいて効果を付与する効果付与手段と、その効果付与手段により効果が付与された楽音信号を出力する出力手段とを備えている。
【００１０】
請求項２記載の効果装置は、請求項１記載の効果装置において、前記操作子が操作されている操作時間を検出する操作時間検出手段と、その操作時間検出手段により検出された操作時間が所定の時間以下である場合に、前記出力手段により出力される楽音信号を、前記効果付与手段により効果が付与された楽音信号とするか、前記効果付与手段により効果が付与されない楽音信号とするかを設定する効果設定手段とを備え、前記時間パラメータ設定手段は、前記操作時間検出手段により検出された操作時間が前記所定の時間より長い場合には、その操作子が操作されている間に前記楽音信号入力手段により入力された楽音信号に基づいて、前記効果付与手段により付与する効果のパラメータである時間パラメータを設定するものである。
【００１１】
請求項３記載の効果装置は、請求項１または２記載の効果装置において、前記楽音信号入力手段により順次入力された楽音信号の時間間隔を計時する計時手段を備え、前記時間パラメータ設定手段は、その計時手段により計時された時間間隔に基づいて時間パラメータを設定するものである。
【００１２】
請求項４記載の効果装置は、請求項１または２記載の効果装置において、前記楽音信号入力手段により入力された楽音信号の音高を検出する音高検出手段を備え、前記時間パラメータ設定手段は、その音高検出手段により検出された音高に基づいて時間パラメータを設定するものである。
【００１３】
請求項５記載の効果装置は、楽音信号を入力する楽音信号入力手段を備え、その楽音信号入力手段により入力された楽音信号に効果を付与するものであり、前記楽音信号入力手段により入力される楽音信号の発生の開始を示す発生開始信号を入力する発生開始信号入力手段と、時間パラメータを設定するモードを選択する操作子と、その操作子により時間パラメータを設定するモードが選択されている場合に、前記発生開始信号入力手段により入力された発生開始信号に基づいて効果のパラメータである時間パラメータを設定する時間パラメータ設定手段と、その時間パラメータ設定手段により設定された時間パラメータに基づいて効果を付与する効果付与手段と、その効果付与手段により効果が付与された楽音信号を出力する出力手段とを備えている。
【００１４】
請求項６記載の効果装置は、請求項５記載の効果装置において、前記操作子が操作されている操作時間を検出する操作時間検出手段と、その操作時間検出手段により検出された操作時間が所定の時間以下である場合に、前記出力手段により出力される楽音信号を、前記効果付与手段により効果が付与された楽音信号とするか、前記効果付与手段により効果が付与されない楽音信号とするかを設定する効果設定手段とを備え、前記時間パラメータ設定手段は、前記操作時間検出手段により検出された操作時間が前記所定の時間より長い場合には、その操作子が操作されている間に前記発生開始信号入力手段により入力された発生開始信号に基づいて時間パラメータを設定するものである。
【００１５】
請求項７記載の効果装置は、請求項５または６記載の効果装置において、前記発生開始信号入力手段により順次入力された発生開始信号の時間間隔を計時する計時手段を備え、前記時間パラメータ設定手段は、その計時手段により計時された時間間隔に基づいて時間パラメータを設定するものである。
【００１６】
請求項８記載の効果装置は、請求項５または６記載の効果装置において、前記発生開始信号入力手段により入力される発生開始信号は、楽音信号の音高を示す音高情報を含み、前記時間パラメータ設定手段は、前記発生開始信号入力手段により入力された発生開始信号に含まれた音高情報に基づいて時間パラメータを設定するものである。
【００１７】
請求項９記載の効果装置は、請求項２から４および６から８のいずれかに記載の効果装置において、前記操作子の操作が行われている場合、すなわち、操作子がオン状態を持続している間に前記出力手段により出力される楽音信号のレベルを下げるレベル制御手段を備えている。なお、「レベルを下げる」とは、楽音信号の出力を停止することも含むものである。
【発明の効果】
【００１８】
請求項１記載の効果装置によれば、操作子が演奏者などにより操作され、時間パラメータを設定するモードが選択され、時間パラメータを設定するモードが選択されている場合に、楽音信号入力手段により入力された楽音信号に基づいて効果のパラメータである時間パラメータが時間パラメータ設定手段により設定される。その設定された時間パラメータに基づいて効果付与手段により効果が付与され、その効果が付与された楽音信号が出力手段により出力される。ここでは、演奏者が通常の演奏を行うことにより発生される楽音信号に基づいて時間パラメータを設定することができる。楽音信号は、音高やリズムなどの特性を有し、演奏者は、なれ親しんだ通常の楽器演奏行為、例えばギターであれば弦を弾くという演奏行為によって、これらの特性を容易に変化させることができるという優れた特徴を持つ。
【００１９】
従来であれば、時間パラメータ設定のために、通常の演奏行為とは異なる操作（タップ操作）を別途行わなければならなかったが、請求項１記載の効果装置によれば、演奏者は通常の演奏、すなわち、演奏と同じ操作（演奏行為）によって時間パラメータを設定することができるので、従来のタップ操作に比べて時間パラメータ設定のための操作が容易であるという効果がある。
【００２０】
請求項２記載の効果装置によれば、請求項１記載の効果装置の奏する効果に加え、操作子が操作されている操作時間が操作時間検出手段により検出され、その検出された操作時間が所定の時間以下である場合には、効果設定手段により、出力手段により出力される楽音信号を効果付与手段により効果が付与された楽音信号とするか、効果付与手段により効果が付与されない楽音信号とするかが設定され、操作時間が所定の時間より長い場合には、その操作子が操作されている間に楽音信号入力手段により入力された楽音信号に基づいて、時間パラメータ設定手段により効果のパラメータである時間パラメータが設定される。
【００２１】
よって、演奏者は、操作子を短い時間操作することにより効果を付与するか否かを切り替えることができるとともに、操作子を長い時間操作し、その操作を行っている場合、すなわち、操作子がオン状態を持続している間に、演奏によって得られる楽音信号を入力し、上述したように、楽音信号を用いて時間パラメータを設定することができる。このとき、操作子を長く操作している間に演奏によって楽音信号を入力し、その楽音信号によって時間パラメータを設定し（以下、時間パラメータを設定することができる状態を「時間パラメータ設定モード」と称す）、かつ、操作子の操作を終了すると同時に時間パラメータ設定モードを終了する（以下、効果を付与する状態か否かを否かを切替えることができる状態を「通常モード」と称す）というように、初心者にも分かりやすい簡単な操作で、時間パラメータ設定モードと通常モードとの切替えを行うことができるという効果がある。
【００２２】
また、操作子のオンオフは、時間パラメータの設定を行う全行程中一回ずつ（操作子を長くオン、オフ）でよい。例えば、操作子を所定の時間以上オンの状態にするだけで自動的に時間パラメータ設定モードに切り替わり、時間パラメータを設定後の時間パラメータ設定モード終了の操作も、単に操作子をオフするだけでよい。よって、従来のように、操作子であるペダルスイッチを足で長く踏んで時間パラメータ設定モードに切り替えた後、足によるタップ操作により時間パラメータを設定し、設定終了後再びペダルスイッチを長く踏んで通常モードに復帰する場合（ペダルスイッチのオンオフは全工程中２回、ペダルスイッチを長く踏む、離す、長く踏む、離す）に比べ、時間パラメータを短時間で設定することができるという効果もある。
【００２３】
また、操作子を長くオンしている間に時間パラメータを設定し、設定が終了すれば操作子をオフするという行為は、時間パラメータ設定モードと通常モードとの切替を演奏者が認識しやすく、この視点からも、初心者でも判り易い操作方法である。
【００２４】
請求項３記載の効果装置によれば、請求項１または２記載の効果装置の奏する効果に加え、楽音信号入力手段により順次入力された楽音信号の時間間隔を計時する計時手段を備え、時間パラメータ設定手段は、その計時手段により計時された時間間隔に基づいて時間パラメータを設定するので、演奏者が演奏を行うことによって発生する楽音信号により時間パラメータを設定することができる。よって、演奏者は、長い時間パラメータを設定したいときはゆっくりと、逆に短い時間パラメータを設定したいときは速く楽器を演奏すればよく、時間パラメータの数値とそれによる効果の効き具合との相関関係に関する知識を必要とせず、通常の演奏によって、直感的に時間パラメータの設定を行うことができるという効果がある。
【００２５】
請求項４記載の効果装置によれば、請求項１または２記載の効果装置の奏する効果に加え、楽音信号入力手段により入力された楽音信号の音高を検出する音高検出手段を備え、時間パラメータ設定手段は、その音高検出手段により検出された音高に基づいて時間パラメータを設定するので、演奏者は、時間パラメータに対応する音高の楽音信号が発生するように演奏するだけでよく、操作が容易であるという効果がある。
【００２６】
請求項５記載の効果装置によれば、発生開始信号入力手段には、楽音信号入力手段により入力される楽音信号の発生の開始を指示する発生開始信号が入力され、操作子が演奏者などにより操作され、時間パラメータを設定するモードが選択される。時間パラメータを設定するモードが選択されている場合に、発生開始信号入力手段により入力された発生開始信号に基づいて効果のパラメータである時間パラメータが時間パラメータ設定手段により設定され、その設定された時間パラメータに基づいて効果付与手段により効果が付与され、その効果が付与された楽音信号が出力手段により出力される。演奏者が通常の演奏を行うことにより発生される楽音信号と共に発生される発生開始信号に基づいて時間パラメータを設定することができる。発生開始信号は、例えば、ＭＩＤＩ規格において規定されるノートオンメッセージなどであり、音高などの情報を有し、演奏者は、なれ親しんだ通常の楽器演奏行為、例えばノートオンメッセージを出力するギターシンセサイザであれば弦を弾くという演奏行為によってこれらの情報を容易に発生させることができる。
【００２７】
従来であれば、時間パラメータ設定のために、通常の演奏行為とは異なる操作（タップ操作）を別途行わなければならなかったが、請求項１記載の効果装置によれば、演奏者は通常の演奏、すなわち、演奏と同じ操作（演奏行為）によって時間パラメータを設定することができるので、従来のタップ操作に比べて時間パラメータ設定のための操作が容易であるという効果がある。
【００２８】
請求項６記載の効果装置によれば、請求項５記載の効果装置の奏する効果に加え、操作子が操作されている操作時間が操作時間検出手段により検出され、演奏者によって楽音信号が発生されると、その楽音信号の発生の開始を示す発生開始信号が発生開始信号入力手段に同時に入力される。操作時間検出手段により検出された操作時間が所定の時間以下である場合には、効果設定手段により、出力手段により出力される楽音信号を効果付与手段により効果が付与された楽音信号とするか、効果付与手段により効果が付与されない楽音信号とするかが設定され、操作時間が所定の時間より長い場合には、その操作子が操作されている間に発生開始信号入力手段に入力された発生開始信号に基づいて、時間パラメータ設定手段により時間パラメータが設定される。
【００２９】
よって、演奏者は、操作子を短く操作することにより効果を付与するか否かを切り替えることができるとともに、操作子を長く操作し、その操作が行われている間に楽音信号を発生させることにより、その楽音信号の発生の開始を示す発生開始信号により効果のパラメータである時間パラメータを設定することができる。発生開始信号は、楽音の発生開始を示す情報であり、演奏者が通常の演奏動作を行うと自動的に発生する。よって、演奏者は通常の演奏、すなわち演奏と同じ操作（演奏行為）によって時間パラメータを設定できるので、従来行われていたタップ操作に比べて時間パラメータのための操作が容易であるという効果がある。
【００３０】
さらに、操作子を長く操作している間に演奏によって発生開始信号を入力し、その発生開始信号によって時間パラメータを設定し、かつ、操作子の操作を終了すると同時に時間パラメータを設定するモードを終了するといいうように、初心者でも簡単な操作で時間パラメータ設定モードと通常モードとの切替えを行うことができるという効果もある。この時、操作子のオンオフは、時間パラメータの設定を行う全行程中一回ずつ（操作子を長くオン、オフ）でよい。すなわち、操作子を所定の時間以上オンし続けるだけで自動的に時間パラメータ設定モードに切り替わり、時間パラメータ設定後の時間パラメータ設定モード終了の操作も、単に操作子をオフするだけでよい。
【００３１】
よって、従来のように、操作子であるペダルスイッチを足で長く踏んで時間パラメータ設定モードに切り替えた後、足によるタップ操作により時間パラメータを設定し、設定終了後再びペダルスイッチを長く踏んで通常モードに復帰する場合（ペダルスイッチのオンオフは全工程中２回、ペダルスイッチを長く踏む、離す、長く踏む、離す）に比べ、時間パラメータを短時間で設定することができるという効果もある。また、操作子を長くオンしている間に時間パラメータを設定し、設定が終了すれば操作子をオフするという行為は、時間パラメータの設定と通常の演奏との切替を演奏者が認識しやすく、この視点からも、初心者でも判り易い操作方法である。
【００３２】
請求項７記載の効果装置によれば、請求項５または６記載の効果装置の奏する効果に加え、発生開始信号入力手段により順次入力された発生開始信号の時間間隔を計時する計時手段を備え、時間パラメータ設定手段は、その計時手段により計時された時間間隔に基づいて時間パラメータを設定するので、演奏者が演奏を行うことにより自動的に発生される発生開始信号により時間パラメータを設定することができ、操作が容易であるという効果がある。例えば、演奏者は、長い時間パラメータを設定したいときはゆっくりと、逆に短い時間パラメータを設定したいときは速く楽器を演奏すればよく、時間パラメータの数値とそれによる効果の効き具合との相関関係に関する知識を必要とせず、通常の演奏によって、直感的に時間パラメータの設定を行うことができる。
【００３３】
請求項８記載の効果装置によれば、請求項５または６記載の効果装置の奏する効果に加え、発生開始信号は、楽音信号の音高を示す音高情報を含み、時間パラメータ設定手段は、発生開始信号入力手段により入力された発生開始信号に含まれた音高情報に基づいて時間パラメータを設定するので、演奏者は、時間パラメータとして設定しようとする時間に対応する音高情報が発生されるように演奏操作を行うだけでよく、操作が容易であるという効果がある。
【００３４】
請求項９記載の効果装置によれば、請求項２から４および６から８のいずれかに記載の効果装置の奏する効果に加え、操作子が操作されている場合、すなわち、操作子がオン状態を持続している間に出力手段により出力される楽音信号のレベルを下げるレベル制御手段を備えているので、演奏中に時間パラメータを設定するための操作を行った場合でも、演奏を阻害することがないという効果がある。
【発明を実施するための最良の形態】
【００３５】
以下、本発明の好ましい第１の実施形態について、添付図面を参照して説明する。図１は、効果装置１の外観を示す平面図である。効果装置１は、通常、電気ギターなどを演奏する場合に、床に載置し、電気ギターから入力される楽音信号にディレイ効果を付与するものである。効果装置１は、入力ジャックＪＫ１を右側面に、出力ジャックＪＫ２を左側面に備え、エフェクトレベルつまみ（ＥＦＦＥＣＴ  ＬＥＶＥＬ）３と、フィードバック量を調整するフィードバックつまみ（Ｆ．ＢＡＣＫ）５と、遅延時間を調整するディレイタイムつまみ（ＤＥＬＡＹ  ＴＩＭＥ）７と、ＬＥＤ８と、ペダルＰとを操作パネル２に備えている。ペダルＰは、一端を軸として揺動し、常態ではバネにより上方に保持され、ペダルＰを足などで踏み込むことにより押下される。ペダルＰが押下されると、ペダルＰの下部に備えられたスイッチＳＷ１（図２参照）が押下されてオンされ、ペダルＰが離されると、ペダルＰが常態に復帰するとともにスイッチＳＷ１も復帰し、オフされる。
【００３６】
スイッチＳＷ１がオンされてからオフされるまでの操作時間が計時され、その操作時間が短い（本実施形態では２秒以下）場合には、効果がオンまたはオフに設定され、操作時間が長い（本実施形態では２秒より長い）場合は、入力ジャックＪＫ１に入力された楽音信号に基づいて時間パラメータ（後述）が設定される。
【００３７】
効果がオンされた場合は、効果が付与された楽音信号が出力ジャックＪＫ２から出力され、効果がオフされた場合は、入力ジャックＪＫ１に入力された楽音信号が出力ジャックＪＫ２から出力される。ＬＥＤ８は、ペダルＰの操作により、効果がオンされた場合に点灯され、効果がオフされた場合に消灯される。
【００３８】
エフェクトレベルつまみ３と、フィードバックつまみ５と、ディレイタイムつまみ７とは、それぞれ回転式抵抗器の回転軸に固定され、回転式抵抗器の抵抗値は、図示しないＡ／Ｄ変換器によりデジタル値に変換されて、ＣＰＵ１１（図２参照）により読み取られる。エフェクトレベルつまみ３により設定されたレベル値は、効果が付与された楽音信号のレベルを設定するものであり、フィードバックつまみ５により設定されたフィードバック量は、遅延された楽音信号を入力された楽音信号と合成する場合において、遅延された楽音信号のレベルを設定するものである。ディレイタイムつまみ７により設定されるディレイタイムは、入力された楽音信号を遅延する遅延時間を設定するものである。
【００３９】
効果装置１の入力ジャックＪＫ１には、電気ギターなどと接続する接続コード２１が、出力ジャックＪＫ２には、スピーカを駆動するアンプ等と接続する接続コード２２が、それぞれ着脱自在に装着される。
【００４０】
次に、図２を参照して、効果装置１の電気的構成について説明する。図２（ａ）は、効果装置１の全体の電気的構成を示したブロック図であり、図２（ｂ）は、ＤＳＰ１５の機能を示したブロック図である。
【００４１】
効果装置１は、スイッチＳＷ１と、抵抗Ｒ１、Ｒ２と、コンデンサＣと、ＣＰＵ１１と、ＲＡＭ（ランダム・アクセス・メモリ）１２と、ＲＯＭ（リード・オンリ・メモリ）１３と、Ａ／Ｄ変換器１４と、ＤＳＰ１５と、Ｄ／Ａ変換器１６と、操作パネル２（以下、エフェクトレベルつまみ３、フィードバックつまみ５、ディレイタイムつまみ７により設定されるパラメータ値を入力する部分を指す）とを主に備えている。
【００４２】
スイッチＳＷ１は、上述の通り、ペダルＰの操作によりオンまたはオフされる。スイッチＳＷ１の一方の接点は接地され、他方の接点は、抵抗Ｒ１を介してＣＰＵ１１の入力ポートに接続される。その入力ポートは、プルアップ抵抗Ｒ２を介して電源電圧に接続されると共に、コンデンサＣを介して接地される。スイッチＳＷ１がオンに操作されると、抵抗Ｒ１の一端が接地されることになり、ＣＰＵ１１の入力ポートの電圧が降下する。コンデンサＣは、スイッチＳＷ１がチャタリングを起こした場合にも安定した電圧をＣＰＵ１１に供給するためのものである。
【００４３】
ＣＰＵ１１と、ＲＡＭ１２と、ＲＯＭ１３と、ＤＳＰ１５と、操作パネル２とは、バス１９を介して相互に接続されている。ＣＰＵ１１は、ＲＯＭ１３に記憶された制御プログラムである効果設定プログラム１３ａ（図３を参照して後述する）を実行することにより、スイッチＳＷ１や操作パネル２に設けられたつまみ３，５，７の操作を検出し、その検出された状態に応じてＤＳＰ１５を制御する。ＣＰＵ１１は、タイマ１１ａを内蔵し、スイッチＳＷ１がオフ状態からオン状態に操作された場合に計時を開始し、オフ状態に戻された場合に計時を停止する。
【００４４】
ＲＡＭ１２は、ＣＰＵ１１がＲＯＭ１３に記憶された制御プログラムを実行する際に、変数などを一時記憶する書き換え可能なランダムにアクセスできるメモリである。スイッチＳＷ１がオンされている間に、入力ジャックＪＫ１に順次入力された楽音の時間間隔が計時され、ＲＡＭ１２には、楽音が入力された時刻が順次記憶される。また、ＲＡＭ１２には、レベルフラグ１２ａが記憶される。レベルフラグ１２ａは、入力された楽音信号が立ち上がり、時間の計時が開始された場合に１に設定され、その楽音信号のレベルが減衰した場合に、０に設定される。
【００４５】
入力端子ＪＫ１に入力された楽音信号は、Ａ／Ｄ変換器１４により所定のサンプリング周波数（例えば、４８ｋＨｚ）でデジタル信号に変換されて、ＤＳＰ１５に入力される。ＤＳＰ１５により効果が付与された楽音信号または、効果が付与されない楽音信号が、ＤＳＰ１５から出力され、Ｄ／Ａ変換器１６によりアナログ信号に変換されて出力ジャックＪＫ２から出力される。
【００４６】
次に、図２（ｂ）を参照して、ＤＳＰ１５の機能について説明する。ＤＳＰ１５は、デジタル信号処理装置（Digital  Signal  Processor）であり、予め組み込まれたプログラムに従って、各種処理を実行する。ＤＳＰ１５に形成される機能ブロックは、入力された楽音信号にディレイ効果を付与する効果付与部１５ａと、入力された楽音信号のエンベロープを検出するエンベロープ検出部１５ｂとである。
【００４７】
効果付与部１５ａには、ディレイ回路１５ｃと、加算器１５ｄ、１５ｇと、乗算器１５ｅ、１５ｆ、１５ｈおよびスイッチＳＷ２とが設けられる。ディレイ回路１５ｃは、Ａ／Ｄ変換器１４により出力された値と、ディレイ回路１５ｃにより出力された値に乗算器１５ｆにより係数ｋ２が乗算された値とを加算器１５ｄにより加算した値を、ディレイタイムだけ遅延して出力するブロックである。この係数ｋ２は、フィードバックつまみ５により設定されるフィードバック量に対応する値である。
【００４８】
Ａ／Ｄ変換器１４の出力は、加算器１５ｄに接続されるとともに加算器１５ｇに接続され、ディレイ回路１５ｃの出力は、乗算器１５ｅと乗算器１５ｆとの入力に接続される。乗算器１５ｅは、係数ｋ１を入力信号に乗算し、その出力は、スイッチＳＷ２の一端に接続され、スイッチＳＷ２の他端は、加算器１５ｇの入力に接続される。係数ｋ１は、エフェクトレベルつまみ３により設定された値に対応する値である。加算器１５ｇの出力は、乗算器１５ｈに入力され、乗算器１５ｈにより係数ｋ３が乗算されてＤ／Ａ変換器１６に出力される。
【００４９】
ペダルＰが所定の時間より短い時間にオンされた後オフされた場合は、トグル動作によりスイッチＳＷ２が切り替えられる。スイッチＳＷ２の接点がオフされた場合は、入力された楽音が加算器１５ｇを介して乗算器１５ｈの入力へ出力され、オンされた場合は、入力された楽音とディレイ回路１５ｃにより効果が付与された楽音とが加算器１５ｇにより合成され、乗算器１５ｈの入力へ出力される。ペダルＰが押下され、スイッチＳＷ１がオンされている間は、乗算器１５ｈの係数ｋ３が０に設定され、楽音の出力が停止される。
【００５０】
エンベロープ検出部１５ｂは、Ａ／Ｄ変換器１４から順次入力される振幅値を整流し、波形のピーク値を結ぶエンベロープ曲線を検出し、その検出されたエンベロープ曲線がとるエンベロープレベルを逐次ＣＰＵ１１に通知するものである。なお、ＣＰＵ１１は、このエンベロープが順次入力される毎に楽音の立ち上がりを検出する。楽音の立ち上がりを順次検出した場合に、その時間間隔を計時して効果のパラメータである時間パラメータの設定を行う。
【００５１】
ディレイ回路１５ｃによるディレイ効果を付与する処理は、公知であるのでその詳細についての説明を省略するが、図示しないＲＡＭに順次入力されるデジタル化された標本値を記憶し、所定時間後に読み出すことにより行われる。この所定時間が、ディレイタイムとして、操作パネル２に備えられたディレイタイムつまみ７、または、スイッチＳＷ１が所定時間より長くオンされている間に入力される楽音信号に基づいて設定される。ディレイタイムつまみ７が操作された場合は、その操作により設定されたディレイタイムが有効となるが、スイッチＳＷ１が所定時間よりも長くオンされている間に楽音信号が入力された場合には、入力された楽音信号に基づいて設定されたディレイタイムが有効となる（後着優先）。なお、以下の説明では、説明を簡単にするために、ディレイタイムつまみ７によりディレイタイムが設定されることについては触れないものとする。
【００５２】
次に、図３を参照して、ＣＰＵ１１により実行される効果設定処理について説明する。図３は、効果設定処理を示すフローチャートである。なお、この効果設定処理は、ＲＯＭ１３に記憶された効果設定プログラム１３ａを実行することにより行われる処理である。
【００５３】
この効果設定処理は、効果装置１の電源が投入されると開始され、電源が遮断されるまで繰り返し行われる処理である。この効果設定処理では、まずレベルフラグ１２ａを０に設定し（Ｓ１）、次に、スイッチＳＷ１がオフの状態からオンの状態に切り替えられたか否かを判断する（Ｓ２）。スイッチＳＷ１がオフの状態からオンの状態に切り替えられた場合は（Ｓ２：Ｙｅｓ）、タイマ１１ａによる計時を開始する（Ｓ３）。この処理により、タイマ１１ａは、時刻０から計時を開始する。
【００５４】
次に、ＤＳＰ１５に出力を停止するようにＤＳＰ１５に指示する（Ｓ４）。ＤＳＰ１５は、この指示を入力すると、乗算器１５ｈの係数ｋ３を０とし、楽音が出力されない状態にする。次に、入力された楽音の回数を計数する変数ｎを０にする（Ｓ５）。なお、乗算器１５ｈの係数ｋ３は、初期状態では１に設定される。
【００５５】
次に、楽音が入力されているか否かを判断する（Ｓ６）。この判断は、上述の通りＤＳＰ１５のエンベロープ検出部１５ｂにより、入力される楽音のエンベロープが検出され、その検出されたエンベロープの値がＣＰＵ１１に通知されるものである。
【００５６】
楽音が入力された場合は（Ｓ６：Ｙｅｓ）、レベルフラグ１２ａが１であるか否かを判断する（Ｓ７）。レベルフラグ１２ａが１でない場合は（Ｓ７：Ｎｏ）、タイマ１１ａが計時する現在時刻をＲＡＭ１２の所定の領域に記憶し（Ｓ８）、変数ｎの値を１増加する（Ｓ９）。よって、変数ｎは、ＲＡＭ１２の所定の領域に記憶された時刻の個数を示すことになる。次に、レベルフラグ１２ａを１に設定する（Ｓ１０）。Ｓ６の判断処理において、楽音が入力されないと判断された場合は（Ｓ６：Ｎｏ）、レベルフラグ１２ａを０に設定する（Ｓ１１）。
【００５７】
Ｓ１０またはＳ１１の処理を終了した場合、またはＳ７の判断処理において、レベルフラグ１２ａが１である場合は（Ｓ７：Ｙｅｓ）、スイッチＳＷ１がオフされたか否かを判断する（Ｓ１２）。スイッチＳＷ１がオフされない場合は（Ｓ１２：Ｎｏ）Ｓ６の処理に戻り、スイッチＳＷ１がオフされた場合は（Ｓ１２：Ｙｅｓ）、タイマ１１ａの計時を停止し（Ｓ１３）、ＤＳＰ１５による出力を再開するように乗算器１５ｈの係数を１に戻す（Ｓ１４）。
【００５８】
次に、タイマ１１ａが計時した時間（スイッチＳＷ１がオンされてからオフされるまでの時間）が所定の時間より短いか否かを判断する（Ｓ１５）。この所定の時間は、例えば２秒程度に設定される時間であり、タイマ１１ａが計時した時間がこの所定の時間より短い場合は（Ｓ１５：Ｙｅｓ）、効果のオンまたはオフを切り替える（Ｓ１６）。この効果のオンまたはオフは、ＤＳＰ１５に形成されたスイッチＳＷ２がオンされている状態を効果がオンと称し、スイッチＳＷ２がオフされている状態を効果がオフと称するものである。また、切替とは、スイッチＳＷ２がオンされている場合にはオフされ、オフされている場合にはオンされることである。
【００５９】
一方、Ｓ１５の判断処理において、タイマ１１ａが計時した時間が所定時間より長い場合は（Ｓ１５：Ｎｏ）、変数ｎの値が２以上であるか否かを判断し（Ｓ１７）、２以上である場合は、ディレイ効果のパラメータである時間パラメータの設定を行う（Ｓ１８）。時間パラメータは、例えばｎの値が２の場合は、ＲＡＭ１２に２つの時刻が記憶されているので、それらの時刻の差分値を算出し、その算出した差分値に基づいて、時間パラメータの設定を行う。この算出された差分値をそのままディレイタイムとして設定してもよいし、この差分値に一定の比率を乗じた時間をディレイタイムとしてもよい。ｎの値が３以上で差分値が２以上の場合は、その複数の差分値の平均値を求め、その平均値に基づいてディレイタイムを設定したり、複数の差分値のうちの最新の値に基づいてディレイタイムを設定してもよい。また、新しい差分値の重み係数を大きくし、古い差分値の重み係数を順次小さくした加重平均値を求め、その加重平均値に基づいてディレイタイムを設定してもよい。
【００６０】
Ｓ１６、またはＳ１８の処理を終了した場合、またはＳ１７の判断処理において変数ｎの値が２より小さい場合は、時間パラメータを設定することができないので、Ｓ１８の処理をスキップしてＳ２の処理に戻る。Ｓ２の判断処理において、スイッチＳＷ１がオフの状態からオンの状態に切り替えられたのではない場合は（Ｓ２：Ｎｏ）、その他の処理を行い（Ｓ１９）、再度Ｓ２の処理に戻る。その他の処理とは、エフェクトレベルつまみ３やフィードバックつまみ５による設定を読み込み、それぞれの係数ｋ１やｋ２を変更する処理などである。
【００６１】
以上、第１の実施形態に基づいて説明したように、演奏者がペダルＰを押下し、所定時間以内に離した場合は、効果のオンまたはオフが切替えられ、ペダルＰを所定の時間より長くオンし、その間に楽音を順次入力すると、その楽音の時間間隔により、ディレイタイムが設定される。
【００６２】
よって、従来行われていたように、ペダルＰを長くオンにすることにより、ディレイタイムを設定するモードに変更して、そのモードにおいてタップ操作によりディレイタイムを設定する場合に比べ、速くディレイタイムを設定することができる。また、手でギターの弦を弾くなどの演奏操作により、任意の時間間隔で楽音を発生させることによってディレイタイムを設定することができるので、足でタップ操作を行う場合に比べ、操作が容易であって、正確に所望の時間パラメータを設定することができる。
【００６３】
次に、第２の実施形態について、図４と図５を参照して説明する。第１の実施形態では、ペダルＰを押下している間に楽音を順次入力し、その時間間隔によりディレイタイムを設定するものであるが、第２の実施形態では、入力された楽音の音高を検出し、その音高に対応する時間を時間パラメータとして設定するものである。なお、第１の実施形態と同一部分には、同一の符号を付してその説明を省略し、異なる部分についてのみ説明するものとする。
【００６４】
図４（ａ）は、第２の実施形態における効果装置１の電気的構成を示したブロック図であり、図４（ｂ）は、ＤＳＰ１５の機能を示したブロック図である。第１の実施形態と異なるのは、ＲＯＭ１３にピッチ検出プログラム１３ｂとピッチテーブル１３ｃとが記憶されていることと、ＤＳＰ１５にゼロクロス検出部１５ｉが設けられ、エンベロープ検出部１５ｂが省かれていることである。第２の実施形態では、入力ジャックＪＫ１に入力される楽音のピッチが検出され、その検出されたピッチに応じてピッチテーブル１３ｂが参照された結果、効果の時間パラメータが設定される。
【００６５】
楽音のピッチを検出する方法は、各種知られている。この第２の実施形態では、ＤＳＰ１５に設けられるゼロクロス検出部１５ｉは、楽音信号の振幅が正から負、または負から正に変化するゼロクロスを検出してＣＰＵ１１に通知し、ＣＰＵ１１は、ピッチ検出プログラム１３ｂに従って、そのゼロクロスに基づいてピッチを検出するものとする。
【００６６】
ピッチテーブル１３ｃの一例を、下記、表１に示す。このピッチテーブル１３ｃは、ギターの開放弦のピッチに対応して、時間パラメータであるテンポ値（ＢＰＭ）を記憶している。開放弦のピッチは、６弦ギターの弦番号と音名とを表している。例えば、「６Ｅ」は、第６弦の開放弦の音名Ｅのピッチを示す。
【００６７】
【表１】
2008304813.tif 000003
ピッチテーブル１３ｃは、表１に示すように、所定のピッチの値に対応してテンポ値を記憶している。検出されたピッチが、ピッチテーブル１３ｃに記憶されていない場合は、検出されたピッチを挟むピッチテーブル１３ｃに記憶された最寄りの上下のピッチの値に基づいて補間演算を行って時間パラメータを算出する。
【００６８】
次に、図５を参照して、第２の実施形態における効果設定処理について説明する。図５は、第２の実施形態における効果設定処理を示すフローチャートであり、第１の実施形態において説明した、図３に示すフローチャートの同一ステップについては、同一ステップ番号を付し、異なるステップには、異なるステップ番号を付したものであり、異なる部分について説明する。
【００６９】
Ｓ４の処理において出力を停止すると、次にピッチ検出処理を行う（Ｓ２１）。このピッチ検出処理は、ピッチ検出プログラム１３ｂを実行することにより行い、所定時間（例えば、１０ｍｓｅｃ）の楽音を入力して、ピッチを検出し、次に、スイッチＳＷ１がオフされたか否かを判断する（Ｓ１２）。このＳ１２の処理、およびＳ１３、Ｓ１４、Ｓ１５、Ｓ１６の処理は、第１の実施形態と同一の処理である。Ｓ１５の判断処理において、タイマ１１ａが計時した時間が所定の時間より長い場合は（Ｓ１５：Ｎｏ）、Ｓ２１の処理において検出されたピッチの値に基づいてピッチテーブル１３ｃを参照し、時間パラメータであるテンポ値（ＢＰＭ）を求め、そのテンポ値に基づいて、ディレイ時間を設定する（Ｓ２２）。このとき、求められたテンポ値を表示すると設定が容易である。例えば、操作パネル１７に設けられたＬＥＤを、テンポ値に基づいて点滅させたり、ＬＣＤなどによりテンポ値を数値で表示してもよい。
【００７０】
以上、説明したように第２実施形態においては、ペダルＰが長くオンされた場合に入力された楽音のピッチが検出され、そのピッチに応じた時間パラメータが、効果のパラメータとして設定される。ピッチにより時間パラメータを設定する場合は、第１の実施形態のように、楽音の時間間隔により設定する場合に比べ、より速く設定することができる。
【００７１】
次に、図６、および図７を参照して、第３の実施形態について説明する。第１の実施形態および第２の実施形態では、いずれも入力ジャックＪＫ１に入力される楽音信号に基づいて時間パラメータを設定するものとしたが、第３の実施形態では、ＭＩＤＩ規格に準拠したＭＩＤＩ情報（ＭＩＤＩメッセージともいう）を入力するインターフェースを備え、そのインターフェースを介して入力されるＭＩＤＩ情報により時間パラメータを設定するものである。効果装置１に接続される電子楽器が、ギターシンセサイザなどのようにＭＩＤＩ情報を出力する場合には、そのＭＩＤＩ情報に基づいて時間パラメータを設定することができる。なお、第１の実施形態と同一部分には、同一の符号を付してその説明を省略し、異なる部分についてのみ説明するものとする。
【００７２】
図６（ａ）は、第３の実施形態における効果装置１の電気的構成を示したブロック図であり、図６（ｂ）は、ＤＳＰ１５の機能を示したブロック図である。第１の実施形態と異なるのは、ＭＩＤＩインターフェース（Ｉ／Ｆ）１８が、バス１９に接続されていることと、ＤＳＰ１５にエンベロープ検出部１５ｂが設けられていないことである。ＭＩＤＩインターフェース１８には、ＭＩＤＩ規格に準拠したジャックＪＫ３が設けられ、ＭＩＤＩ情報を出力する電子楽器のＭＩＤＩケーブルが接続され、その電子楽器の音声出力は、入力ジャックＪＫ１に入力される。例えば、その電子楽器がギターシンセサイザである場合は、あるノートナンバの楽音が発生されると、そのノートナンバのノートオン情報が、ＭＩＤＩケーブルから出力される。従って、入力ジャックＪＫ１には、そのノートナンバの音高の楽音信号が入力され、ＭＩＤＩインターフェース１８には、そのノートナンバのノートオン情報が入力される。
【００７３】
次に、図７を参照して、第３の実施形態における効果設定処理について説明する。図７は、第３の実施形態における効果設定処理を示すフローチャートである。第１の実施形態において参照した、図３に示すフローチャートと同一ステップについては、同一ステップ番号を付し、異なるステップには、異なるステップ番号を付したものであり、異なる部分について説明する。
【００７４】
第１の実施形態と異なるのは、図３に示すフローチャートのＳ６の処理が、楽音を入力したか否かの判断を行うことに代わり、ノートオン情報を入力したか否かの判断を行う（Ｓ３１）。ノートオン情報を入力した場合は（Ｓ３１：Ｙｅｓ）、タイマ１１ａが計時する時刻をＲＡＭ１２の所定の領域に記憶し（Ｓ３２）、変数ｎの値を１増加する（Ｓ９）。その他の処理は、図３に示す処理と同一である。
【００７５】
第１の実施形態では、楽音に基づいて時間パラメータが設定されるため、楽音にディレイがかかっていたり、楽音の立ち上がりが緩やかである場合には、正確な時間が検出されない恐れがあるが、第３の実施形態では、ギターシンセサイザのように弦の振動に基づいてノートオン情報が発生されるので、より正確に時間パラメータを設定することができる。
【００７６】
なお、ノートオン情報は、音高を示すノートナンバを含むので、第２の実施形態におけるピッチテーブルと同様に、ノートナンバに対応する時間パラメータを記憶するテーブルを記憶し、そのテーブルを参照することによりノートナンバに対応する時間パラメータを求めるようにしてもよい。
【００７７】
以上説明したように、本発明による効果装置は、ペダルＰを所定の時間より短く押下した場合には、効果のオンまたはオフを切替え、ペダルＰを所定の時間より長く押下した場合には、その間に入力される楽音、またはノートオン情報により時間パラメータを設定することができる。よって、足でペダルＰを操作しながら演奏操作を行うことにより、時間パラメータを設定することができる。例えば、電気ギターを演奏するような場合には、足でペダルＰを踏みながら、弦を弾く時間間隔、または、演奏するギターの音高により時間パラメータを設定することができる。
【００７８】
なお、各請求項でいう操作時間検出手段は、図３に示すフローチャートのＳ１５の処理が該当し、効果設定手段は、図３に示すフローチャートのＳ１６の処理が該当し、時間パラメータ設定手段は、図３に示すフローチャートのＳ１７の処理、または図５に示すフローチャートのＳ２２の処理が該当し、計時手段は、図３に示すフローチャートのＳ８の処理、または図７に示すフローチャートのＳ３２の処理が該当し、音高検出手段は、図５に示すフローチャートのＳ２１の処理が該当する。
【００７９】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００８０】
例えば、上記各実施形態では、効果装置１は、ディレイ効果のみを付与するものとしたが、複数の種類の効果を付与する機能を有し、その複数の効果のうち使用者により選択されたいずれかの効果を付与することができる、いわゆるマルチ・エフクトタイプのものとしてもよい。その場合に、使用者により選択されている効果の時間パラメータを、上記操作により設定することができるようにしてもよい。
【００８１】
また、上記実施形態では、効果装置１は、時間パラメータとして遅延時間を持ったディレイ効果を付与する効果装置としたが、別の時間パラメータを持った別の効果装置、例えば、変調周期を時間パラメータとして持つオートワウ、トレモロ、またはフェーザでもよい。これらの場合、時間パラメータは、効果装置に内蔵される低周波発振器（ＬＦＯ：
Low  Frequency  Oscillator)の発振周期を変えるものであってもよい。
【００８２】
さらに、上記実施形態では、効果装置１は、効果のオンオフを切り替えるペダルＰを操作子としたが、これとは別に、パラメータを設定するモードと通常演奏モードとを切り替えるモード切替スイッチを別途設けてもよい。
【００８３】
また、第２の実施形態において、効果装置１は、複数の種類の効果を付与することができるものとし、検出された音高により効果のパラメータの種類を指定し、楽音が入力される時間間隔によりその指定された種類の効果の時間パラメータを設定するようにしてもよい。例えば、開放弦の１弦を弾いた場合は、ディレイ時間を設定し、開放弦の２弦を弾いた場合は、リバーブの残響時間を設定するなどとしてもよい。
【００８４】
また、ギターシンセサイザなどのように、各弦毎に弦が弾かれたことおよびその音高が検出される場合は、弦毎に異なるパラメータを設定するものととし、そのパラメータの値を音高に応じた値に設定するものとしてもよい。例えば、第１弦の音高に応じてディレイタイムを設定し、第２弦の音高に応じてフィードバック量を設定するなどとしてもよい。
【００８５】
また、弦毎に対応する音符の種類（音符長）を規定し、その弦の音高、または弾かれた時間間隔により時間パラメータを設定するようにしてもよい。例えば、第１弦に１６分音符、第２弦に８分音符、第３弦に４分音符をそれぞれ対応させ、各弦において演奏された複数音の発生タイミングから計時した時間間隔が、それぞれの弦に対応付けられた音符一つ分の長さ（時間長）に該当するようにテンポを設定することができる。
【００８６】
また、上記各実施形態では、ペダルＰがオンされている間は、楽音信号の出力を停止するものとしたが、出力を停止せずに出力したり、出力のレベルをあるレベルまで低下するようにしてもよい。
【００８７】
さらに、楽音信号の出力を停止する、または出力のレベルをあるレベルまで低下する区間については、ペダルＰがオンされている間のすべてが該当するのではなく、ペダルＰが所定の時間以上オンされて、時間パラメータ設定モードに切り替わった時点からペダルＰがオフされるまでの区間、すなわち、効果装置１が時間パラメータ設定モードになっている間としてもよい。
【図面の簡単な説明】
【００８８】
【図１】本発明の第１の実施形態による効果装置の外観を示す平面図である。
【図２】（ａ）は、効果装置の電気的構成を示すブロック図であり、（ｂ）は、ＤＳＰの機能を示すブロック図である。
【図３】効果設定処理を示すフローチャートである。
【図４】第２の実施形態における効果装置の電気的構成を示すブロック図であり、（ａ）は、効果装置全体のブロック図であり、（ｂ）は、ＤＳＰの機能を示すブロック図である。
【図５】第２の実施形態における効果設定処理を示すフローチャートである。
【図６】第３の実施態における効果装置の電気的構成を示すブロック図であり、（ａ）は、効果装置全体のブロック図であり、（ｂ）は、ＤＳＰの機能を示すブロック図である。
【図７】第３の実施形態における効果設定処理を示すフローチャートである。
【符号の説明】
【００８９】
１                          効果装置
１１                        ＣＰＵ
１１ａ                      タイマ（操作時間検出手段）
１５                        ＤＳＰ
１５ｅ                      乗算器（レベル制御手段）
１８                        ＭＩＤＩインターフェース（発生開始信号入力手段）
Ｐ                          ペダル（操作子）
ＳＷ１                      スイッチ
【図１】
2008304813.tif 000004
【図２】
2008304813.tif 000005
【図３】
2008304813.tif 000006
【図４】
2008304813.tif 000007
【図５】
2008304813.tif 000008
【図６】
2008304813.tif 000009
【図７】
2008304813.tif 000010